(57)【要約】【課題】シート収容部の下に再搬送ユニットを備える構成において、接地するための構成を簡素化することができる画像形成装置を提供する。【解決手段】画像形成装置は、給紙トレイ３１（シート収容部）と、給紙トレイ３１内の記録シートを送り出すピックアップローラと、給紙トレイ３１内の記録シートをピックアップローラに向けて押し上げるように構成され、押上部材２３０（導電部材）を有する押上機構と、給紙トレイ３１の下に配置された再搬送ユニット１００と、を備えている。再搬送ユニット１００は、搬送される記録シートの一面側をガイドする導電性の上側ガイド板１２０を有している。そして、画像形成装置には、上側ガイド板１２０と押上部材２３０を導通する第１導通部と、押上部材２３０と装置本体に設けられた接地電位部とを導通する第２導通部と、が設けられている。【選択図】図４
2014196178.tif 000002
【特許請求の範囲】
【請求項１】
装置本体と、
記録シートを収容するシート収容部と、
前記シート収容部内の記録シートを送り出すピックアップローラと、
前記シート収容部内の記録シートを前記ピックアップローラに向けて押し上げるように構成され、導電部材を有する押上機構と、
前記ピックアップローラにより送り出された記録シートに画像を形成する画像形成部と、
前記シート収容部の下に配置され、前記画像形成部によって画像が形成された記録シートを再び前記画像形成部へ向けて搬送する再搬送ユニットと、を備えた画像形成装置であって、
前記再搬送ユニットは、搬送される記録シートの一面側をガイドする導電性の搬送ガイドを有し、
前記搬送ガイドと前記押上機構の導電部材を導通する第１導通部と、前記搬送ガイドおよび前記押上機構の導通部材の一方と前記装置本体に設けられた接地電位部とを導通する第２導通部と、が設けられていることを特徴とする画像形成装置。
【請求項２】
前記搬送ガイドは、前記再搬送ユニットを搬送される記録シートの上面側に配置されていることを特徴とする請求項１に記載の画像形成装置。
【請求項３】
前記押上機構は、記録シートが載置されるシート載置板を有し、
前記シート載置板は、前記導電部材で構成され、前記第１導通部に接続されていることを特徴とする請求項１または請求項２に記載の画像形成装置。
【請求項４】
前記シート載置板は、前記シート載置板に設けられる第１軸部を中心に回動可能に構成され、
前記第１導通部は、前記第１軸部の近傍に設けられていることを特徴とする請求項３に記載の画像形成装置。
【請求項５】
前記押上機構は、記録シートが載置されるシート載置板と、前記シート載置板を前記ピックアップローラに向けて押し上げる押上部材とを有し、
前記押上部材は、前記導電部材で構成され、前記第１導通部に接続されていることを特徴とする請求項１または請求項２に記載の画像形成装置。
【請求項６】
前記押上部材は、前記押上部材に設けられる第２軸部を中心に回動可能に構成され、
前記第１導通部は、前記第２軸部の近傍に設けられていることを特徴とする請求項５に記載の画像形成装置。
【請求項７】
前記押上機構は、前記シート収容部に設けられ、
前記シート収容部は、前記装置本体に対して着脱可能に構成され、
前記第１導通部は、少なくとも前記シート収容部が前記装置本体に装着されたときに、前記搬送ガイドと前記押上機構の導電部材を導通することを特徴とする請求項１から請求項６のいずれか１項に記載の画像形成装置。
【請求項８】
前記再搬送ユニットは、前記装置本体に対して着脱可能に構成され、
前記導通部は、少なくとも前記再搬送ユニットが前記装置本体に装着されたときに、前記搬送ガイドと前記押上機構の導電部材を導通することを特徴とする請求項１から請求項６のいずれか１項に記載の画像形成装置。
【請求項９】
前記搬送ガイドは、前記再搬送ユニットを搬送される記録シートを搬送するための搬送ローラを保持していることを特徴とする請求項１から請求項８のいずれか１項に記載の画像形成装置。
【発明の詳細な説明】
【技術分野】
【０００１】
本発明は、シート収容部の下に再搬送ユニットを備えた画像形成装置に関する。
【背景技術】
【０００２】
従来、両面印刷が可能な画像形成装置に、記録シートを収容するシート収容部の下に再搬送ユニットを配置したものが知られている（例えば、特許文献１参照）。具体的には、シート収容部は、収容された記録シートの下に配置されて、当該記録シートを持ち上げるように構成された押上機構を有している。また、再搬送ユニットは、再搬送ユニット内を搬送される記録シートの上面側をガイドする搬送ガイドを有している。そして、この搬送ガイドは、剛性の確保および装置の小型化のため、板金により形成されている。
【先行技術文献】
【特許文献】
【０００３】
【特許文献１】特開２０１２−９６８５８号公報
【発明の概要】
【発明が解決しようとする課題】
【０００４】
ところで、上述した技術では、放射ノイズの防止および記録シートの静電気除去のために、搬送ガイドを接地する必要がある。また、押上機構の一部が導電部材で構成されていると、この導電部材も接地する必要がある。このように、複数の部材をそれぞれ接地しようとすると、構成が複雑になってしまう。
【０００５】
そこで、本発明は、シート収容部の下に再搬送ユニットを備える構成において、接地するための構成を簡素化することができる画像形成装置を提供することを目的とする。
【課題を解決するための手段】
【０００６】
前記した目的を達成するため、本発明の画像形成装置は、装置本体と、記録シートを収容するシート収容部と、シート収容部内の記録シートを送り出すピックアップローラと、シート収容部内の記録シートをピックアップローラに向けて押し上げるように構成され、導電部材を有する押上機構と、ピックアップローラにより送り出された記録シートに画像を形成する画像形成部と、シート収容部の下に配置され、画像形成部によって画像が形成された記録シートを再び画像形成部へ向けて搬送する再搬送ユニットと、を備えている。
再搬送ユニットは、搬送される記録シートの一面側をガイドする導電性の搬送ガイドを有している。
そして、画像形成装置は、搬送ガイドと押上機構の導電部材を導通する第１導通部と、搬送ガイドおよび押上機構の導通部材の一方と装置本体に設けられた接地電位部とを導通する第２導通部と、が設けられている。
【０００７】
このように構成された画像形成装置によれば、１経路で押上機構の導電部材と搬送ガイドを接地することができるので、押上機構の導電部材と搬送ガイドを個別に接地する場合に比べて、構成を簡素化することができる。
【０００８】
そして、前記した画像形成装置において、搬送ガイドは、再搬送ユニットを搬送される記録シートの上面側に配置されていることが望ましい。
【０００９】
このように構成された画像形成装置によれば、搬送ガイドによって、記録シートの上面をガイドするとともに、記録シートを除電し２面目の画像形成を安定させることができる。
【００１０】
また、前記した画像形成装置において、押上機構は、記録シートが載置されるシート載置板を有し、シート載置板は、導電部材で構成されていてもよい。
この場合、シート載置板は、第１導通部に接続されている構成とすることができる。
【００１１】
このように構成された画像形成装置によれば、シート載置板によって載置されている記録シートを除電することができる。
【００１２】
また、この場合、シート載置板は、シート載置板に設けられる第１軸部を中心に回動可能に構成され、第１導通部は、第１軸部の近傍に設けられていることが望ましい。
【００１３】
シート載置板が回動しても、第１軸部の近傍は移動量が小さいので、このように構成された画像形成装置によれば、シート載置板の回動動作が第１導通部に影響しにくく、確実にシート載置板と搬送ガイドとを導通させることができる。
【００１４】
そして、前記した画像形成装置において、押上機構は、記録シートが載置されるシート載置板と、シート載置板をピックアップローラに向けて押し上げる押上部材とを有し、押上部材は、導電部材で構成されていてもよい。
この場合、押上部材は、第１導通部に接続されている構成とすることができる。
【００１５】
また、この場合、押上部材は、押上部材に設けられる第２軸部を中心に回動可能に構成され、第１導通部は、第２軸部の近傍に設けられていることが望ましい。
【００１６】
押上部材が回動しても、第２軸部の近傍は移動量が小さいので、このように構成された画像形成装置によれば、押上部材の回動動作が第１導通部に影響しにくく、確実に押上部材と搬送ガイドを導通させることができる。
【００１７】
そして、前記した画像形成装置において、押上機構は、シート収容部に設けられ、シート収容部は、装置本体に対して着脱可能に構成されていてもよい。
この場合、第１導通部は、少なくともシート収容部が装置本体に装着されたときに、搬送ガイドと押上機構の導電部材を導通することが望ましい。
【００１８】
このように構成された画像形成装置によれば、画像形成装置が動作しているときに、確実に押上機構と搬送ガイドを接地することができる。
【００１９】
また、前記した画像形成装置において、再搬送ユニットは、装置本体に対して着脱可能に構成されていてもよい。
この場合、導通部は、少なくとも再搬送ユニットが装置本体に装着されたときに、搬送ガイドと押上機構の導電部材を導通することが望ましい。
【００２０】
このように構成された画像形成装置によれば、画像形成装置が動作しているときに、確実に押上機構と搬送ガイドを接地することができる。
【００２１】
そして、前記した画像形成装置において、搬送ガイドは、再搬送ユニットを搬送される記録シートを搬送するための搬送ローラを保持していてもよい。
【発明の効果】
【００２２】
本発明によれば、１経路で押上機構の導電部材と搬送ガイドを接地することができるので、押上機構の導電部材と搬送ガイドをそれぞれ別々に接地する場合に比べて、構成を簡素化することができる。
【図面の簡単な説明】
【００２３】
【図１】本発明の一実施形態に係るレーザプリンタの概略構成を示す図である。
【図２】再搬送ユニットを示す斜視図である。
【図３】給紙トレイを示す正面図である。
【図４】第１導通部および第２導通部を示す断面図であって、圧板が待機状態のときを示す図（ａ）と、圧板が作動状態のときを示す図（ｂ）である。
【図５】変形例における第１導通部と第２導通部を示す断面図であって、圧板が待機状態のときを示す図（ａ）と、圧板が作動状態のときを示す図（ｂ）である。
【発明を実施するための形態】
【００２４】
次に、本発明の実施形態について、適宜図面を参照しながら詳細に説明する。なお、以下の説明では、まず、画像形成装置の一例としてのカラープリンタ１の概略構成について説明した後、本発明の特徴部分について説明する。
【００２５】
以下の説明において、方向は、カラープリンタ１の使用時のユーザを基準にした方向で説明する。すなわち、図１において、紙面に向かって右側を「前側」、紙面に向かって左側を「後側」とし、紙面に向かって手前側を「左側」、紙面に向かって奥側を「右側」とする。また、紙面に向かって上下方向を「上下方向」とする。
【００２６】
＜カラープリンタの概略構成＞
図１に示すように、カラープリンタ１は、記録シートの一例としての用紙Ｓの両面に画像を形成可能な装置であり、装置本体２内に、給紙部３と、画像形成部４と、搬送部５とを主に備えている。
【００２７】
装置本体２は、左右方向で対向する一対の側壁２Ａ（図１では右側のみ図示）と、この一対の側壁２Ａを繋ぐ架橋部材２Ｂとを備えている。
【００２８】
架橋部材２Ｂは、一対の側壁２Ａの前端部と後端部に設けられており、各側壁２Ａの下端部同士を繋いでいる。この架橋部材２Ｂは、板金からなり、導電性を有している。そして、各架橋部材２Ｂは、装置本体２内に設けられた図示しないアース部材（接地電位部）を介して電気的に接地されている。
【００２９】
給紙部３は、装置本体２内の下部に設けられており、用紙Ｓを収容するシート収容部の一例としての給紙トレイ３１と、給紙機構３２とを主に備えている。給紙トレイ３１に収容された用紙Ｓは、給紙機構３２によって画像形成部４に供給される。
【００３０】
給紙トレイ３１は、装置本体２から前方に引き出すことによって取り外すことが可能となっており、後方に押し込むことによって装着することが可能となっている。
【００３１】
給紙トレイ３１は、給紙トレイ３１内の用紙Ｓをピックアップローラ３２Ａに向けて押し上げるように構成された押上機構２１０を備えている。
【００３２】
押上機構２１０は、用紙Ｓが載置されるシート載置板の一例としての用紙載置板２２０と、用紙載置板２２０を上下動させるための押上部材２３０とを備えている。
【００３３】
用紙載置板２２０は、主に板金からなり、導電性を有している。つまり、用紙載置板２２０は、導電部材で構成されている。用紙載置板２２０は、給紙トレイ３１に収容された用紙Ｓの前端部の下に配置され、後端部に設けられた第１軸部２２１を中心に回動し、前端部が上下に移動するようになっている。
【００３４】
押上部材２３０は、主に板金からなり、導電性を有している。つまり、押上部材２３０は、導電部材で構成されている。押上部材２３０は、用紙載置板２２０の下に設けられ、図示しない公知の機構と制御装置により、後端部に設けられた第２軸部２３１を中心に回動し、前端部が上下に移動するようになっている。
【００３５】
このように構成された押上機構２１０では、押上部材２３０が作動していないときには、用紙載置板２２０は、水平になっており、押上部材２３０が作動したときには、用紙載置板２２０が回動して、給紙トレイ３１内の用紙Ｓをピックアップローラ３２Ａに向けて押し上げる。
【００３６】
給紙機構３２は、ピックアップローラ３２Ａ等を備え、給紙トレイ３１内の用紙Ｓを画像形成部４へ供給するように構成されている。ピックアップローラ３２Ａは、給紙トレイ３１に収容された用紙Ｓの前端部の上方に配置されている。そして、ピックアップローラ３２Ａは、用紙載置板２２０によって持ち上げられた用紙Ｓに接触して回転することで、当該用紙Ｓを送り出すように構成されている。
【００３７】
画像形成部４は、給紙部３から搬送されてくる用紙Ｓに画像を形成するための構成であり、露光ユニット４１と、４つのプロセスユニット４２と、転写ユニット４３と、定着ユニット４４とを主に備えている。
【００３８】
露光ユニット４１は、装置本体２内の上部に設けられ、図示しないレーザ光源と、符号を省略して示すポリゴンミラー、複数のレンズおよび複数の反射鏡とを主に備えている。画像データに基づいてレーザ光源から出射されたレーザ光は、ポリゴンミラーや反射鏡で反射され、レンズを通過して、各感光体ドラム４２Ａの表面で高速走査される。
【００３９】
プロセスユニット４２は、給紙トレイ３１と露光ユニット４１との間で前後に並んで配置され、感光体ドラム４２Ａと、帯電器４２Ｂと、符号を省略して示す現像ローラ、供給ローラ、層厚規制ブレードおよびトナーを収容するトナー収容部とを主に備えている。各プロセスユニット４２は、トナー収容部内に収容されるトナーの色が相違するのみであり、構成は略同一である。
【００４０】
転写ユニット４３は、給紙トレイ３１とプロセスユニット４２との間に設けられ、符号を省略して示す駆動ローラと従動ローラの間で張設された無端状の搬送ベルト４３Ａと、４つの転写ローラ４３Ｂとを主に備えている。搬送ベルト４３Ａは、外側の面が各感光体ドラム４２Ａに接しており、その内側には各転写ローラ４３Ｂが各感光体ドラム４２Ａとの間で搬送ベルト４３Ａを挟持するように配置されている。
【００４１】
定着ユニット４４は、プロセスユニット４２の後方に設けられ、加熱ローラ４４Ａと、この加熱ローラ４４Ａを押圧する加圧ローラ４４Ｂとを主に備えている。
【００４２】
画像形成部４では、感光体ドラム４２Ａの表面が、帯電器４２Ｂにより一様に帯電された後、露光ユニット４１からのレーザ光によって露光されることで、感光体ドラム４２Ａ上に画像データに基づく静電潜像が形成される。また、トナー収容部内のトナーは、供給ローラを介して現像ローラに供給され、現像ローラと層厚規制ブレードの間に進入して一定厚さの薄層として現像ローラ上に担持される。
【００４３】
そして、現像ローラ上に担持されたトナーが、静電潜像が形成された感光体ドラム４２Ａに供給されることで、静電潜像が可視像化され、感光体ドラム４２Ａ上にトナー像が形成される。その後、給紙部３から供給された用紙Ｓが、感光体ドラム４２Ａと搬送ベルト４３Ａの間を搬送されることで、各感光体ドラム４２Ａ上に形成されたトナー像が各転写ローラ４３Ｂによって用紙Ｓ上に順次重ね合わせて転写される。
【００４４】
トナー像が転写された用紙Ｓは、加熱ローラ４４Ａと加圧ローラ４４Ｂの間を搬送されることでトナー像が熱定着される。以上のようにして、用紙Ｓに画像を形成することができる。画像が形成された用紙Ｓは、搬出ローラ４５によって定着ユニット４４から搬送経路５１に搬出される。
【００４５】
搬送部５は、画像形成部４から搬出された用紙Ｓを装置本体２の外部に排出する排出機構として機能するとともに、画像形成部４により一方の面に画像が形成された用紙Ｓの表裏を反転させた状態で当該用紙Ｓを画像形成部４へ再度搬送する再搬送手段として機能している。具体的に、搬送部５は、搬送経路５１と、排出ローラ５２と、前後に揺動可能に構成されたフラッパ５３と、再搬送経路５４と、再搬送経路５４内で用紙Ｓを搬送する複数の搬送ローラ５５とを主に備えている。
【００４６】
搬送経路５１は、装置本体２内の後部に設けられており、後方に揺動したフラッパ５３（実線参照）の前方付近から上方に向けて延びた後、進路を前方へ湾曲させるように延びている。
【００４７】
排出ローラ５２は、正逆回転可能に構成されており、正回転時には画像形成部４から搬出された用紙Ｓを装置本体２の外部に向けて排出し、逆回転時には用紙Ｓを装置本体２内に引き込むように搬送する。
【００４８】
再搬送経路５４は、装置本体２内の後部から下部にわたって設けられており、鎖線で示す前方に揺動したフラッパ５３の後方付近から下方に向けて延び、進路を前方へ湾曲させて給紙トレイ３１の下を前方に向けて延びた後、さらに進路を上方へ湾曲させて給紙機構３２に向かうように延びている。なお、再搬送経路５４の一部は、再搬送ユニット１００によって形成されている。再搬送ユニット１００については、後で詳しく説明する。
【００４９】
搬送部５では、画像形成が終了した場合には、画像形成部４から搬出された用紙Ｓは、搬送経路５１を搬送され、正回転する排出ローラ５２によって装置本体２の外部に排出されて排紙トレイ２２上に載置される。また、一方の面に画像が形成された用紙Ｓの他方の面に画像を形成する場合には、用紙Ｓの全体が装置本体２の外部に完全に排出される前に排出ローラ５２が逆回転することで、用紙Ｓは再度装置本体２内に引き戻され、搬送経路５１から再搬送経路５４に搬送される。その後、破線で示すように用紙Ｓは、搬送ローラ５５によって再搬送経路５４を搬送され、給紙機構３２によって再び画像形成部４に搬送される。
【００５０】
なお、画像形成部４において他方の面に画像が形成された用紙Ｓは、画像形成部４から搬送経路５１に搬出され、正回転する排出ローラ５２によって装置本体２の外部に排出されて排紙トレイ２２上に載置される。
【００５１】
＜再搬送ユニットの詳細構成＞
次に、再搬送ユニット１００の構成について詳しく説明する。
【００５２】
図１に示すように、再搬送ユニット１００は、給紙トレイ３１の下方に設けられている。この再搬送ユニット１００は、再搬送経路５４の前後に延びる部分の後側部分を構成しており、略平板形状に形成されている。また、再搬送ユニット１００は、装置本体２から後方へ移動させることにより、装置本体２に対して着脱可能に構成されている。
【００５３】
再搬送ユニット１００は、再搬送経路５４を通る用紙Ｓの下面側に配置されている下側ガイド板１１０と、再搬送経路５４を通る用紙Ｓの上面側に配置されている搬送ガイドの一例としての上側ガイド板１２０と、複数対の搬送ローラ５５とを主に備えている。
【００５４】
下側ガイド板１１０と上側ガイド板１２０は、装置本体２に装着された状態で、前端が用紙載置板２２０の下側に位置している。つまり、上下方向から見て、上側ガイド板１２０の前端部と用紙載置板２２０の後端部は、重なっている。
【００５５】
また、複数対の搬送ローラ５５は、それぞれ駆動ローラ５５Ａと従動ローラ５５Ｂとが対になって構成されている。そして、駆動ローラ５５Ａは、下側ガイド板１１０に回転可能に支持され、従動ローラ５５Ｂは、上側ガイド板１２０に回転可能に支持されている。
【００５６】
図２に示すように、下側ガイド板１１０は、樹脂製の部品であり、用紙Ｓの幅、すなわち、左右方向の長さよりも大きく形成されている。下側ガイド板１１０は、略全体が平板状に形成され、かつ、後端部が断面視円弧状に形成されている。そして、下側ガイド板１１０は、上側ガイド板１２０と対向する上側の面に、複数のガイドリブ１１１が設けられている。このガイドリブ１１１は、用紙Ｓの搬送方向に延びるように形成され、用紙Ｓの幅方向で間隔を空けて複数設けられている。
【００５７】
上側ガイド板１２０は、板金からなり、導電性を有している。上側ガイド板１２０は、用紙Ｓの幅、すなわち、左右方向の長さよりも大きく形成されており、左右方向における両端部が下側ガイド板１１０に固定されている。
【００５８】
このように、上側ガイド板１２０を板金で構成し、用紙Ｓの幅よりも大きく形成することで、再搬送経路５４を搬送される用紙Ｓの除電をすることが可能となっている。また、上側ガイド板１２０を、例えば、樹脂で形成する場合に比べて、上側ガイド板１２０の剛性を確保しつつ、上側ガイド板１２０の厚みを小さくすることが可能となっている。
【００５９】
そして、上側ガイド板１２０の左端部には、従動ローラ５５Ｂを支持する樹脂製のローラホルダ１２１が取り付けられている。
【００６０】
これにより、従動ローラ５５Ｂを板金で形成された剛性の高い部材で支持することが可能となっている。
【００６１】
＜給紙トレイの詳細構成＞
次に、給紙トレイ３１の構成について詳しく説明する。
【００６２】
図３に示すように、給紙トレイ３１は、用紙Ｓを収容可能に形成された上方に開口する箱状のトレイ本体２００を備えている。そして、トレイ本体２００の底壁２０１の上には、用紙載置板２２０や押上部材２３０が配置されている。
【００６３】
用紙載置板２２０は、左右方向の幅が、トレイ本体２００の左右方向の幅と略同じ大きさに形成されている。そして、用紙載置板２２０は、トレイ本体２００の前壁２０２に寄せて配置されており、後端部がトレイ本体２００の前後方向における略中央部に配置されている。
【００６４】
押上部材２３０は、左右方向の幅が、トレイ本体２００の左右方向の幅よりも小さく形成されている。この押上部材２３０は、左端部が用紙載置板２２０の左端部の下に配置され、右端側に作用部２３２を備えている。作用部２３２は、用紙載置板２２０の左右方向における中央部の下に配置されている。また、押上部材２３０は、前後方向において用紙載置板２２０の前端部寄りに設けられている。そして、押上部材２３０は、作用部２３２、つまり、用紙載置板２２０の左右方向中央部に対応する部分が、上方へ移動したときに、用紙載置板２２０に当接し、用紙載置板２２０を上方に押し上げるように構成されている。
【００６５】
そして、給紙トレイ３１には、押上部材２３０を接地するための第１アースばね２４０と、用紙載置板２２０や再搬送ユニット１００の上側ガイド板１２０を押上部材２３０と導通させるための第２アースばね２５０とが設けられている。
【００６６】
第１アースばね２４０は、左右方向に延びる金属製の線ばねである。第１アースばね２４０は、左端部が押上部材２３０に接触する位置に配置され、右端部がトレイ本体２００の右端部に配置されている。
【００６７】
そして、第２アースばね２５０は、用紙載置板２２０とトレイ本体２００の底壁２０１の間に配置され、給紙トレイ３１の左端部において前後方向に延びる金属製の線ばねである。第２アースばね２５０は、前端部が押上部材２３０の左端部に接触する位置に配置され、後端部２５０Ａが用紙載置板２２０の後端部近傍に配置されている。
【００６８】
図４（ａ）に示すように、第１アースばね２４０は、左端部に、上方に凸となる略Ｕ字状に屈曲した第１屈曲部２４１が形成されている。そして、この第１屈曲部２４１が押上部材２３０の下面に当接している。
【００６９】
より詳細には、第１屈曲部２４１は、押上部材２３０の後端部側に接触している。本実施形態においては、前述したように押上部材２３０の回動中心となる第２軸部２３１が押上部材２３０の後端部側に設けられているので、第１屈曲部２４１は、回動する押上部材２３０の移動量が少ない部分に接触している。これにより、押上部材２３０が回動しても、第１屈曲部２４１が押上部材２３０から離れにくく、第１アースばね２４０を押上部材２３０に確実に接触させることが可能となっている。
【００７０】
第１アースばね２４０の右端部は、トレイ本体２００の底壁２０１に形成された図示しない孔を通って底壁２０１の下側まで延びている。そして、第１アースばね２４０の右端部は、先端に、下方に凸となる略Ｕ字状に屈曲した第２屈曲部２４２が形成されている。そして、この第２屈曲部２４２が、装置本体２の架橋部材２Ｂに当接可能となっている。
【００７１】
そして、第１アースばね２４０の右端部は、トレイ本体２００の底壁２０１よりも下側の部分が、トレイ本体２００に形成された中空のばね収容部２０３に収容されている。
【００７２】
ばね収容部２０３は、底壁２０１の右端部のうち、前後方向において押上部材２３０と同じ位置に設けられている。そして、ばね収容部２０３は、再搬送経路５４を通過する用紙Ｓに干渉しないように、当該用紙Ｓよりも左右方向外側に配置されている。
【００７３】
そして、第１アースばね２４０の右端部は、ばね収容部２０３の中を通って下方へ延び、第２屈曲部２４２は、ばね収容部２０３から下方へ突出して外側に露出している。
【００７４】
このように、第１アースばね２４０をばね収容部２０３内に配置することにより、本実施形態のように、給紙トレイ３１の下に再搬送ユニット１００が配置されることで、トレイ本体２００の底壁２０１と架橋部材２Ｂが離れた位置に配置されていても、底壁２０１から架橋部材２Ｂへ向けて延びる第１アースばね２４０を保護することが可能となっている。
【００７５】
以上のように第１アースばね２４０が設けられることにより、第１アースばね２４０を介して押上部材２３０が装置本体２の架橋部材２Ｂに電気的に接続されている。つまり、第１アースばね２４０の第１屈曲部２４１と押上部材２３０との接触部Ｐ１と、第１アースばね２４０の第２屈曲部２４２と架橋部材２Ｂとの接触部Ｐ２とが、押上部材２３０と装置本体２の接地された架橋部材２Ｂとを導通する第２導通部となっている。
【００７６】
第２アースばね２５０は、前端部が、押上部材２３０に係合する第３屈曲部２５１が形成されている。第３屈曲部２５１は、押上部材２３０に形成された符号を省略して示す孔を通って押上部材２３０の上側から下側へ延び、さらに前方へ向けて延びるように屈曲し、押上部材２３０に係合している。
【００７７】
また、第２アースばね２５０の後端部２５０Ａは、用紙載置板２２０の後端部に対応する位置から後斜め下方へ向けた延びた後、トレイ本体２００の底壁２０１に形成された符号を省略して示す孔を通って底壁２０１の下側に延びている。そして、第２アースばね２５０の後端部２５０Ａは、底壁２０１の下側からさらに後斜め上方へ向けて延びている。つまり、第２アースばね２５０の後端部２５０Ａは、用紙載置板２２０の後端部に対応する位置に設けられた略Ｖ字状に曲がった第４屈曲部２５２と、第４屈曲部２５２の後側に設けられた略Ｖ字状に曲がった第５屈曲部２５３とを有している。
【００７８】
そして、第４屈曲部２５２は、用紙載置板２２０の後端部に下側から接触している。本実施形態においては、前述したように用紙載置板２２０の回動中心となる第１軸部２２１が用紙載置板２２０の後端部に設けられているので、第４屈曲部２５２は、回動する用紙載置板２２０の移動量が少ない部分に接触している。これにより、用紙載置板２２０が回動しても、第４屈曲部２５２が用紙載置板２２０から離れにくく、第２アースばね２５０を用紙載置板２２０に確実に接触させることが可能となっている。
【００７９】
また、第５屈曲部２５３は、再搬送ユニット１００の上側ガイド板１２０に上側から接触している。なお、第５屈曲部２５３は、再搬送経路５４を搬送される用紙Ｓに干渉しないように、再搬送経路５４を搬送される用紙Ｓの幅方向外側に配置されている。
【００８０】
このように第２アースばね２５０が設けられることにより、第２アースばね２５０を介して用紙載置板２２０と再搬送ユニット１００の上側ガイド板１２０が、押上部材２３０に電気的に接続されている。つまり、第２アースばね２５０の第３屈曲部２５１と押上部材２３０との接触部Ｐ３と、第２アースばね２５０の第５屈曲部２５３と上側ガイド板１２０との接触部Ｐ４とが、上側ガイド板１２０と押上部材２３０とを導通する第１導通部となっている。
【００８１】
以上のように構成されたカラープリンタ１の作用および効果について説明する。
給紙トレイ３１と再搬送ユニット１００が装置本体２に装着されているとき、第１アースばね２４０が装置本体２の架橋部材２Ｂに接触しているので、押上部材２３０が第１アースばね２４０を介して接地される。また、第２アースばね２５０を介して用紙載置板２２０と再搬送ユニット１００の上側ガイド板１２０が押上部材２３０に導通しているので、用紙載置板２２０と上側ガイド板１２０も接地される。
【００８２】
そして、図４（ｂ）に示すように、押上部材２３０が回動すると、用紙載置板２２０が押上部材２３０によって持ち上げられて、前端部が上方へ向けて移動する。このとき、第２アースばね２５０の第３屈曲部２５１は、押上部材２３０に係合しているので、押上部材２３０に接触したまま上方へ移動する。そして、第２アースばね２５０の第４屈曲部２５２は、用紙載置板２２０の回動中心である第１軸部２２１の近傍に配置されているので、用紙載置板２２０が回動した状態であっても、用紙載置板２２０に接触している。これにより、用紙載置板２２０が接地される。
【００８３】
また、この状態で、第２アースばね２５０の第５屈曲部２５３は上側ガイド板１２０に接触しているので、上側ガイド板１２０も接地される。
【００８４】
そして、給紙トレイ３１は、装置本体２に対して着脱可能になっているので、装置本体２から引き出すことで、用紙Ｓを補給できる。
【００８５】
このように、給紙トレイ３１を装置本体２から引き出しても、装置本体２に装着したときには、第１アースばね２４０の第２屈曲部２４２が架橋部材２Ｂに接触するので、用紙載置板２２０、押上部材２３０および上側ガイド板１２０が接地される。
【００８６】
また、再搬送ユニット１００は、装置本体２に対して着脱可能になっているので、再搬送経路５４で紙詰まりが発生したときなどに、再搬送ユニット１００を引き出すことにより、詰まった用紙Ｓを取り除くことができる。
【００８７】
このように、再搬送ユニット１００を装置本体２から引き出しても、装置本体２に装着したときには、第２アースばね２５０の第５屈曲部２４３が上側ガイド板１２０に接触するので、上側ガイド板１２０が接地された押上部材２３０に電気的に接続され、接地される。
【００８８】
以上のように、給紙トレイ３１の押上機構２１０（用紙載置板２２０および押上部材２３０）や再搬送ユニット１００の上側ガイド板１２０が、装置本体２に装着された状態において、接地されているので、これらがノイズの発生源となるのを抑制することができる。
【００８９】
そして、押上機構２１０を接地することにより、給紙トレイ３１に収容された用紙Ｓを除電することができる。また、上側ガイド板１２０を接地することにより、再搬送経路５４を搬送される用紙Ｓを除電することができる。このように、用紙Ｓの除電をすることで、用紙Ｓの搬送および用紙Ｓへの画像形成を良好に行うことができる。
【００９０】
そして、押上機構２１０と上側ガイド板１２０とを１経路で接地できるように構成されているので、押上機構２１０と上側ガイド板１２０を個別に接地する場合に比べて、構成を簡素化することができる。
【００９１】
以上、本発明の実施形態について説明したが、本発明は前記実施形態に限定されるものではない。具体的な構成については、本発明の趣旨を逸脱しない範囲で適宜変更が可能である。
【００９２】
前記実施形態では、押上機構２１０が用紙載置板２２０を押し上げる押上部材２３０を備え、この押上部材２３０が第１アースばね２４０によって架橋部材２Ｂに接続されていたが、本発明はこれに限定されるものではない。例えば、図５（ａ）に示すように、押上機構２１０は、押上部材を備えず、用紙載置板２２０と架橋部材２Ｂを接続する第３アースばね２６０と、用紙載置板２２０と上側ガイド板１２０を接続する第４アースばね２７０とを備えていてもよい。
【００９３】
具体的には、第３アースばね２６０は、トレイ本体２００の底壁２０１の下で前後方向に延びる線ばねである。第３アースばね２６０は、前端部が下方へ向けて延び、その先端に略Ｕ字状に屈曲した第６屈曲部２６１が形成されている。そして、この第６屈曲部２６１は、装置本体２の架橋部材２Ｂに接触している。
【００９４】
また、第３アースばね２６０は、後端部が上方へ向けて延び、その先端に略Ｕ字状に屈曲した第７屈曲部２６２が形成されている。この第７屈曲部２６２は、トレイ本体２００の底壁２０１に形成された符号を省略して示す孔を通してトレイ本体２００の底壁２０１から上側に露出しており、用紙載置板２２０の後端部に接触している。
【００９５】
この変形例においては、用紙載置板２２０の回動中心となる第１軸部２２１が用紙載置板２２０の後端部に設けられているので、第７屈曲部２６２は、回動する用紙載置板２２０の移動量が少ない部分に接触している。これにより、用紙載置板２２０が回動しても、第７屈曲部２６２が用紙載置板２２０から離れにくく、第３アースばね２６０を用紙載置板２２０に確実に接触させることが可能となっている。
【００９６】
このように第３アースばね２６０が設けられることにより、第３アースばね２６０を介して用紙載置板２２０と装置本体２の架橋部材２Ｂが電気的に接続されている。つまり、第３アースばね２６０の第７屈曲部２６２と用紙載置板２２０の接触部Ｐ５と、第３アースばね２６０の第６屈曲部２６１と架橋部材２Ｂの接触部Ｐ６とが、用紙載置板２２０と装置本体２の接地された架橋部材２Ｂとを導通する第２導通部となっている。
【００９７】
第４アースばね２７０は、用紙載置板２２０の後端部において前後方向に延びる線ばねである。第４アースばね２７０は、前端部に、用紙載置板２２０の後端部に引っ掛けられて用紙載置板２２０に接触する第８屈曲部２７１が形成されている。具体的には、第８屈曲部２７１は、上方へ屈曲し、用紙載置板２２０に形成された孔を通って用紙載置板２２０の下側から上側へ延びた後、前方へ向けて延び、さらに下方へ屈曲して、用紙載置板２２０に形成された孔を通って用紙載置板２２０の下側へ向けて延びた後、前方へ向けて延びている。
【００９８】
そして、第４アースばね２７０は、第８屈曲部２７１の後端から後斜め下方へ延びたあと、後斜め上方へ向けて延びている。つまり、第４アースばね２７０は、第８屈曲部２７１の後側に略Ｖ字状に曲がった第９屈曲部２７２が形成されている。そして、第９屈曲部２７２は、再搬送ユニット１００の上側ガイド板１２０に上側から接触している。
【００９９】
このように第４アースばね２７０が設けられることにより、第４アースばね２７０を介して用紙載置板２２０と上側ガイド板１２０が電気的に接続されている。つまり、第８屈曲部２７１と用紙載置板２２０との接触部Ｐ７と、第９屈曲部２７２と上側ガイド板１２０との接触部Ｐ８とが、上側ガイド板１２０と用紙載置板２２０とを導通する第１導通部となっている。
【０１００】
以上のように構成によれば、図５（ｂ）に示すように、用紙載置板２２０が上方へ回動しても、第３アースばね２６０の第７屈曲部２６２は用紙載置板２２０に接触しているので、用紙載置板２２０は、第３アースばね２６０を介して架橋部材２Ｂに導通され、接地される。
【０１０１】
また、用紙載置板２２０が上方へ回動した状態でも、第４アースばね２７０の第８屈曲部２７１は用紙載置板２２０に係合して接触し、第９屈曲部２７２は上側ガイド板１２０に接触しているので、上側ガイド板１２０が用紙載置板２２０に導通され、接地される。
【０１０２】
そして、この構成においても、１経路で用紙載置板２２０と上側ガイド板１２０を接地することができるので、用紙載置板２２０と上側ガイド板１２０を個別に接地する場合に比べて、接地するための構成を簡素化することができる。
【０１０３】
なお、第３アースばね２６０の第７屈曲部２６２は、用紙載置板２２０の第１軸部２２１の近傍で用紙載置板２２０に接触していたが、本発明はこれに限定されず、第３アースばね２６０は、用紙載置板２２０の第１軸部２２１に接触するように設けてもよい。これによれば、回動する用紙載置板２２０のより移動量が小さい部分に第３アースばね２６０を接触させることができる。
【０１０４】
前記実施形態では、第１アースばね２４０の第１屈曲部２４１は、押上部材２３０の第２軸部２３１の近傍で押上部材２３０に接触していたが、本発明はこれに限定されず、第１アースばね２４０は、押上部材２３０の第２軸部２３１に接触するように設けてもよい。これによれば、回動する押上部材２３０のより移動量が小さい部分に第１アースばね２４０を接触させることができる。
【０１０５】
前記実施形態では、第１アースばね２４０を介して押上部材２３０と架橋部材２Ｂが導通されていたが、本発明はこれに限定されるものではない。例えば、押上部材と装置本体２の接地された部材とが直接接触していてもよい。この場合、押上部材と装置本体２の接地された部材との接触部が第２導通部となる。
【０１０６】
前記実施形態では、第２アースばね２５０を介して上側ガイド板１２０と押上部材２３０とが導通されていたが、本発明はこれに限定されるものではない。例えば、上側ガイド板と押上部材とは直接接触していてもよい。この場合、上側ガイド板と押上部材の接触部が第１導通部となる。
【０１０７】
前記実施形態では、第２アースばね２５０を介して上側ガイド板１２０と押上部材２３０とが導通されていたが、本発明はこれに限定されるものではない。例えば、用紙載置板２２０と押上部材２３０とは、作用部２３２が当接することで導通するように構成されていてもよい。この場合、第２アースばね２５０は、上側ガイド板１２０と押上部材２３０を導通するように構成してもよい。
【０１０８】
前記実施形態では、接地される搬送ガイドの一例として、再搬送経路５４を搬送される用紙Ｓの上面側をガイドする上側ガイド板１２０を例示したが、本発明はこれに限定されるものではない。例えば、再搬送経路５４を搬送される用紙Ｓの下面側をガイドする下側ガイド板が板金で形成されている場合は、これを接地する構成としてもよい。また、上側ガイド板と下側ガイド板が両方とも板金で形成されている場合は、上側ガイド板と下側ガイド板の両方を接地する構成としてもよい。
【０１０９】
前記実施形態では、押上部材２３０が第１アースばね２４０によって架橋部材２Ｂに電気的に接続され、押上部材２３０と第１アースばね２４０の接触部Ｐ１が第２導通部となっていたが、本発明はこれに限定されるものではない。例えば、第１アースばね２４０は設けずに、再搬送ユニット１００の上側ガイド板１２０と架橋部材２Ｂに接触する線ばねを設け、上側ガイド板１２０と架橋部材２Ｂを電気的に接続してもよい。この場合は、上側ガイド板１２０と架橋部材２Ｂの接触部が第２導通部となる。
【０１１０】
前記実施形態では、再搬送ユニット１００が装置本体２に対して着脱可能に構成されていたが、本発明はこれに限定されるものではなく、再搬送ユニット１００は、装置本体２に固定されていてもよい。
【符号の説明】
【０１１１】
１      カラープリンタ
２      装置本体
２Ｂ    架橋部材
４      画像形成部
２２    排紙トレイ
３１    給紙トレイ
３２Ａ  ピックアップローラ
５５    搬送ローラ
１００  再搬送ユニット
１２０  上側ガイド板
２１０  押上機構
２２０  用紙載置板
２２１  第１軸部
２３０  押上部材
２３１  第２軸部
Ｓ      用紙
【図１】
2014196178.tif 000003
【図２】
2014196178.tif 000004
【図３】
2014196178.tif 000005
【図４】
2014196178.tif 000006
【図５】
2014196178.tif 000007